(57)【要約】 【課題】球詰まりを発生させることなく球を円滑に送出することができる遊技機の球タンクを提供する。【解決手段】  球整列レール２に球を送出する遊技機の球タンク１において、球の流下方向と平行する球タンク１の側壁１３ａ、１３ｂを両側から段違いに縮幅して、下流端側壁１８と接続する。球タンク１の底面１１には、球を一列に整列して下流に送出する凹溝１５を設けるとともに、この凹溝１５が球タンク１の底面１１と接続する部分に湾曲部１７を形成して、球の流下を加速させる。また、球タンク１の下流側端部に、球の流下方向と逆傾斜する傾斜面１４を設けて下流端側壁１８にかかる球圧を抑制する。【選択図】    図２
2007143725.tif 000002
【特許請求の範囲】
【請求項１】
球整列レールに球を送出する遊技機の球タンクにおいて、
球の流下方向と平行する球タンクの側壁を両側から段違いに縮幅して、球タンクの下流端側壁と接続したことを特徴とする遊技機の球タンク。
【請求項２】
球タンクの底面に、球を一列に整列して下流に送出する凹溝を設けるとともに、この凹溝が球タンクの底面と接続する部分に湾曲部を形成して、球の流下を加速するようにした請求項１に記載の遊技機の球タンク。
【請求項３】
球タンクの下流側端部に、球の流下方向とは逆傾斜する傾斜面を設けた請求項１又は２に記載の遊技機の球タンク。
【発明の詳細な説明】
【技術分野】
【０００１】
本発明は、貯留した球を球整列レールに送出するための遊技機の球タンクに関するものである。
【背景技術】
【０００２】
パチンコ機の裏面には、球タンクと、球タンクから受け入れた球を整列して球払出し装置に送り出す球整列レールと、球払出し装置が接続して配設されている。特許文献１には、箱型の球タンク本体に形成されたタンク排出口の下流側に球通路を連設した球タンクが開示されている。この球タンクにおいては、球タンク本体内を流下する球を同一方向に向けて連設した球通路で球を整列して球払出装置に送り出すことができる。
【０００３】
しかしながら、上記した球タンクにおいては、球の流下方向と平行する側面１８ｄ、１８ｅが、タンク排出口２０が形成された側面１８ｂに直交して接続されているので、側面１８ｂに当接した球がタンク排出口２０付近でいわゆるブリッジを形成して、球詰まりを発生しやすいという問題がある。
【特許文献１】特開２００２−２３９１６４号公報  (図２)
【発明の開示】
【発明が解決しようとする課題】
【０００４】
本発明は、上記した従来の問題点に鑑み、球詰まりを発生させることなく球を円滑に送出することができる遊技機の球タンクを提供することを課題とする。
【課題を解決するための手段】
【０００５】
上記の課題を解決するためになされた本発明の遊技機の球タンクは、球整列レールに球を送出する遊技機の球タンクにおいて、
球の流下方向と平行する球タンクの側壁を両側から段違いに縮幅して、球タンクの下流端側壁と接続したことを特徴とするものである。
【０００６】
上記した発明において、球タンクの底面に、球を一列に整列して下流に送出する凹溝を設けるとともに、この凹溝が球タンクの底面と接続する部分に湾曲部を形成することができ、
また、球タンクの下流側端部に、球の流下方向とは逆傾斜する傾斜面を設けることができる。
【発明の効果】
【０００７】
請求項１に係る発明は、球圧の集中を分散することができるので、球タンクの出口での球詰まりの発生を防止することができる。
請求項２に係る発明は、凹溝にて球を多段一列に整列できるうえに、湾曲部が球の流下を加速するので球の流れを途切れさすことがない。
請求項３に係る発明は、逆傾斜する傾斜面上の球で球タンクの底面を流下する球に適度な抵抗をかけるので、球の流下方向に向かう球圧を小さく抑えて球詰まりを防止することができる。
【発明を実施するための最良の形態】
【０００８】
以下に本発明の実施形態について説明する。
図１は、球タンク１と球整列レール２と球計数払出装置４とが一体に接続された遊技機の球払出構造を示す図、図２は、球整列レール２に接続された球タンク１を示す図である。
【０００９】
球タンク１は、一方に低く傾斜する底面１１と、球の流下方向と平行に形成された側壁１２と、球の流下方向に直交する下流端側壁１８、上流端側壁１９とを備える。球タンク１の底面１１の下流側には、球を一列に整列して流入させる凹溝１５が中央側壁１６を介して２本設けられている。球タンク１内の多段多列状の球は凹溝１５に向けて流下し、この凹溝１５から多段一列の状態となって流下する。
【００１０】
球タンク１の下流側の側壁１３ａ、１３ｂは両側から段違いに縮幅されて、下流端側壁１８と接続されている。すなわち、図２において上側の側壁１３ａは下側の側壁１３ｂより上流側で屈折されて両側の側壁１３ａと１３ｂとが非対称に形成されている。これによって球タンク１の下流端側壁１８に球圧が集中するのを分散することができるので、球が凹溝１５に流れ込むに際してブリッジを形成して詰まるのを防止することができる。
【００１１】
凹溝１５が球タンク１の底面１１とつながる接続部には湾曲部１７を設けてある。この湾曲部１７によって、球の流下速度を加速することができる。特に最後の球の流下を加速させることによって球の流れを途切れることなく送出して、球計数払出装置４において球噛みが発生するのを防止することができる。また、湾曲部１７は底面が湾曲状であるので、球並びが不規則化する。そのため、球が不安定になり球が崩れやすくなる。さらに、球並びの不規則化により球圧が分散し、球がブリッジを形成しにくくなるために球詰まりを防止できる。
【００１２】
さらに、球タンク１の下流側端部には、球の流下方向とは逆傾斜する傾斜面１４を設けてある。傾斜面１４上の球は、球タンク１の底面１１を流下する球に適度な抵抗をかけることができるので、球タンク１の下流端側壁１８に集中する球圧を小さく抑えて、球詰まりが発生するのを防止することができる。
【００１３】
球タンク１の下流側端部には、球整列レール２が、その向きを球タンク１内の球の流下方向と同一方向として、接続されている。すなわち、球整列レール２において球が球タンク１内の球の流下方向と同一方向に流下するように、球タンク１の下流側端部に延設されている。球整列レール２は、図３、５に示す凹状のレール本体２１の上側開放部２８に、図４に示す形状の天井板３が施蓋されたものである。
【００１４】
球整列レール２において、レール本体２１の底面２２には前記凹溝１５と直線的に連通する凹条部２３が形成され、凹条部２３の終端には球送出口２９が設けられている。この凹条部２３は、凹溝１５から流下した多段一列状態の球を一段一列に均すためのものである。すなわち、レール本体２１の側壁２４には拡幅部２５が設けられ、拡幅部２５に対向する他方の中央側壁１６には球偏向用隆起３１が配置されていて、図５に示すように二段目以上の球の流下を拡幅部２５に沿わせるように偏向させて、球の流下を下段の球より遅れさせることができる。また、拡幅部２５には、凹条部２３に向けて低くなる傾斜底面２６が設けてあって、拡幅部２５に偏向された球を凹条部２３に流入させて一段に均すことができる。なお、２７はごみ抜き用の長孔である。
【００１５】
また、レール本体２１の上側開放部２８には、球の流下方向に徐々に低く傾斜する図５に示す天井板３が嵌め込まれている。天井板３は、傾斜部３２の間に段部３３が形成されたものであるので、多段となって流下する球を複数の傾斜部３２で一段に均すことができる。
なお、前記球偏向用隆起３１は、二つが反対向きに菱形筒状に形成されて、天井板３に下向きに垂設されている。この球偏向用隆起３１は、中央側壁１６の上端側から嵌め込んで拡幅部２５と対向するように配置できる構造となっている。
また、球タンク1の下流端側壁１８は天井板３の上流側端部に立設されており、天井板３がレール本体２１に嵌め込まれたときに球タンク１の下流端に位置する。
【００１６】
球計数払出装置４は、図６に示すような構造のものであって、軸４１に装着されたロータ４２と球計数装置４３とを備える。ロータ４２と球計数装置４３は凹条部２３の数と位置に対応して設けられている。ロータ４２は球取り込み用の凹部４４を有し、軸４１に取り付けられたギア４５を介してモータＭによって回転されて、球を送出することができる。
【００１７】
以上のように構成されたものにおいて、球タンク１は凹溝１５に球を安定して供給することができる。なお、本発明の球タンク１は、上記実施形態にとらわれることなく、従来のような球を球タンク１とは逆向きにＵターンさせて受け入れる構造の球整列レール２に接続することもできる。また、図７、８に示すような拡幅部２５を有しない直線状の球整列レール２に接続することもできる。
【図面の簡単な説明】
【００１８】
【図１】本発明の球タンクを備える遊技機の球払出構造の正面断面図である。
【図２】球整列レールに接続された球タンクの平面図である。
【図３】天井板が非装着状態である球整列レールと球タンクの平面図である。
【図４】透視して示す天井板の平面図である。
【図５】図１のＡ−Ａ線断面図である。
【図６】球計数払出装置の斜視図である。
【図７】拡幅部を有しない球整列レールに接続された球タンクの平面図である。
【図８】図７の球タンクの正面断面図である。
【符号の説明】
【００１９】
１  球タンク、２  球整列レール、１１  球タンクの底面、１３ａ  側壁、１３ｂ  側壁、１４  傾斜面、１５  凹溝、１７  湾曲部、１８  下流端側壁
【図１】
2007143725.tif 000003
【図２】
2007143725.tif 000004
【図３】
2007143725.tif 000005
【図４】
2007143725.tif 000006
【図５】
2007143725.tif 000007
【図６】
2007143725.tif 000008
【図７】
2007143725.tif 000009
【図８】
2007143725.tif 000010